(57)【要約】デジタルテレビジョンシステムは、選択されたデジタルテレビジョン信号に同調してデコードする第一のチューナ及び第一のデコーダを含む。第二のチューナ及び第二のデコーダは、受信可能なテレビジョン信号のモザイクビューを含む個別のデジタルテレビジョン信号に同調してデコードするために含まれる。チャネル変化コマンドに応じて、第一のチューナは、新たなチャネルに同調される。同時に、新たなチャネルに対応する第二のデコーダからの出力は、ディスプレイに印加される。かかるように、典型的なデコーダの遅延の間に待つことなしに即座の視聴のために新たなチャネルが利用可能である。
2007520142.tif 000002
【特許請求の範囲】
【請求項１】
複数のデジタルテレビジョン信号を受信する入力と、
高品質ビデオ画像をレンダリング可能な前記デジタルテレビジョン信号のうちの選択された１つに同調するため、前記入力に結合される第一のチューナと、
選択されたテレビジョン信号をデコードするため、前記第一のチューナに結合される第一のデコーダと、
デコードされたテレビジョン信号を処理するためのビデオ信号プロセッサと、
前記デコードされたテレビジョン信号を表示するためのディスプレイとを有し、
それぞれのモザイクビューが前記デジタルテレビジョン信号の品質よりも低い品質を有する、前記デジタルテレビジョンシステムで利用可能な全てのチャネルのモザイクビューを伝送する個別のテレビジョン信号に同調するため、前記入力に結合される第二のチューナと、
前記モザイクビューを伝送する前記個別のテレビジョン信号をデコードするため、前記第二のチューナに結合される第二のデコーダと、
デコードされたモザイクビューのうちの１つを選択するため、前記第二のデコーダの出力に結合されるセレクタと、
前記第一のデコーダ及び前記第二のセレクタからの出力を前記ビデオ信号プロセッサに二者択一的に結合するビデオスイッチと、
前記第一のチューナ、前記セレクタ及び前記ビデオスイッチに結合され、チャネル変化コマンドに応答して、前記第一のチューナ及び前記セレクタに同じチャネルに同期して切替えさせ、前記第一のデコーダが視聴可能な画像を提供可能となるまで前記ビデオスイッチに前記セレクタの出力に一時的に切替えさせるコントローラとを更に有する、
ことを特徴とするデジタルテレビジョンシステム。
【請求項２】
前記デジタルテレビジョンシステムは、
テレビジョン信号におけるオーディオ信号を処理するオーディオ信号処理回路と、
前記第一のデコーダの出力に結合される第一の入力、前記セレクタの出力に結合される第二の入力、及び前記オーディオ信号処理回路の入力に結合される出力を有するオーディオスイッチと、
前記オーディオ信号に対応するオーディオサウンドを供給するため、前記オーディオ信号処理回路の出力に結合される少なくとも１つのラウドスピーカとを更に有し、
前記コントローラは、前記ビデオスイッチを前記セレクタからの出力に切替えることと同期して、前記オーディオスイッチに前記セレクタからの出力に切替えさせる、
請求項１記載のデジタルテレビジョンシステム。
【請求項３】
前記モザイクビューを含む個別のテレビジョン信号は高精細テレビジョン信号である、
請求項１記載のデジタルテレビジョンシステム。
【発明の詳細な説明】
【技術分野】
【０００１】
本発明は、デジタルテレビジョンレシーバに関し、より詳細には、デジタルテレビジョンレシーバにおけるチャネル「サーフィン」に関する。
【背景技術】
【０００２】
テレビ受像機用のワイヤレス（又は赤外線（ＩＲ））リモートコントロールユニットの出現以来、ユーザは、各種受信可能なチャネルでテレビ放送される内容を見つけるため、チャネルからチャネルにスキャニングする（「チャネルサーフィン」）ために、これらのリモート制御ユニットを使用してきた。アナログテレビ信号によれば、チャネル変化は、新たなチャネルにチューナをチューニングすることで行われ、チャネルからチャネルへの変化により、ユーザは実質的に瞬間的に、非常に迅速にチャネルサーフィンを行うことが可能である。しかし、デジタルテレビジョンレシーバで視聴されているデジタルテレビ信号によれば、チューナが新たなチャネルにひとたび同調されると、テレビ信号がディスプレイで視聴可能となる前に、各種動作が実行される必要がある。これは、ＭＰＥＧ−２デコーダで受信されたテレビ信号をデコードすることを含む場合がある。全てのこの更なる処理は、視聴可能な画像がチャネル切り替え後にテレビジョンレシーバのスクリーンに提供される前に、たとえば０．５秒以上の遅延となる。この遅延は、チャネルサーファーを失望させ、視聴可能なチャネルを迅速にスキャニングするのを妨げる。
【０００３】
デジタルテレビジョンシステムにおいて、デジタルテレビジョンシステムで利用可能な全てのチャネルのモザイクビューを含む個別のチャネルを提供することが知られている。たとえば、国際特許出願ＷＯ００／０５８８６は、かかる個別のチャネルが同調、デコードされ、モザイクビューがテレビジョンスクリーンに表示される、マルチチャネルデジタルテレビジョンシステムのナビゲーションシステムを開示している。カーソルは、ハイライトの形式で、選択されたモザイクビューに移動され、次いで、チューナは、適切なテレビジョンチャネルにスイッチされる。しかし、このシステムでさえ、特定の所望のチャネルからモザイクビューチャネルに切替えるとき、デコーダの遅延が存在し、モザイクビューチャネルから次の所望のチャネルに切替えるときにデコーダの遅延が存在する。
【発明の開示】
【発明が解決しようとする課題】
【０００４】
本発明の目的は、典型的なデコーダの遅延により悩まされることなしに、チャネルからチャネルにユーザが迅速に変わるのを可能にする、デジタルテレビジョン信号を受信する方法及び装置を提供することにある。
【課題を解決するための手段】
【０００５】
上記目的は、複数のデジタルテレビジョン信号を受信する入力、高品質のビデオ画像をレンダリング可能な前記デジタルテレビジョン信号のうちの選択された１つに同調するために前記入力に結合される第一のチューナ、前記選択されたテレビジョン信号をデコードするために前記チューナに結合される第一のデコーダ、前記デコードされたテレビジョン信号を処理するためのビデオ信号プロセッサ、及び、前記デコードされたテレビジョン信号を表示するディスプレイを有しており、前記デジタルテレビジョンシステムは、前記デジタルテレビジョンシステムで利用可能な全てのチャネルのモザイクビュー（mosaic view）を伝送する個別のテレビジョン信号に同調するために前記入力に結合される第二のチューナを更に有し、前記モザイクビューのそれぞれは、デジタルテレビジョン信号のそれよりも低い品質を有する。前記デジタルテレビジョンシステムは、前記モザイクビューを伝送する前記個別のテレビジョン信号をデコードするために前記第二のチューナに結合される第二のデコーダ、前記デコードされたモザイクビューのうちの１つを選択するために前記第二のデコーダの出力に結合されるセレクタ、前記第一のデコーダ及び前記セレクタからの出力を前記ビデオ信号プロセッサに二者択一的に結合するビデオスイッチ、並びに、前記第一のチューナ、前記セレクタ及び前記ビデオスイッチに結合されるコントローラであって、チャネル切替えコマンドに応答して、前記第一のチューナ及び前記セレクタに同じチャネルに同期して切替えさせ、前記第一のデコーダが視聴可能な画像を提供可能となるまで、前記ビデオスイッチに前記セレクタの出力に一時的に切り替えさせるコントローラを有する。
【０００６】
出願人は、ユーザがチャネルサーフィンをしているとき、彼／彼女がそれぞれのチャネルの全体のコンテンツと関係するのみであることを気付いている。かかるように、チャネルの低品質のバージョンを一時的に見ることは、チャネルの内容に潜在的に関心があるかをユーザが判断するに十分である。
【０００７】
本発明では、ユーザが現在視聴しているテレビジョンチャネルの信号を供給するチューナ及びデコーダに加えて、バックグランドにおけるモザイクビュー信号を同調及びデコードするために個別のチューナ及びデコーダが使用される。ユーザがチャネルを変えることを決定したとき、ディスプレイは、デコードされたモザイクビューのうちの１つを選択するためにセレクタにスイッチされる。このセレクタは、メインチューナと同期して調節され、表示のために次のチャネルの低品質の画像を瞬間的に提供することができ、メインチューナ／デコーダは、対応する新たなチャネルに切り替え、デコードする。視聴可能な画像が利用可能なとき、ディスプレイはメインチューナ／デコーダに切り替わる。
【０００８】
本発明の好適な実施の形態では、デジタルテレビジョンシステムは、テレビジョン信号におけるオーディオ信号を処理し、前記第一のデコーダの出力に結合される第一の入力と、前記セレクタの出力に結合される第二の入力とを有するオーディオ信号処理回路、及び、前記オーディオ信号処理回路の出力に結合され、前記オーディオ信号に対応するオーディオサウンドを供給する少なくとも１つのラウドスピーカを更に有し、前記コントローラは、前記オーディオ信号処理回路に、セレクタからの出力にビデオスイッチをスイッチすることと同期して、前記セレクタからの出力にスイッチさせる。
【０００９】
この実施の形態では、セレクタからのオーディオ信号は、コントローラがビデオスイッチをセレクタに切替えるときに、オーディオ信号プロセッサによりスイッチされる。これにより、ユーザは、チャネルへのスイッチに即座に応じて選択されたチャネルのオーディオ信号を即座に聞く。
【００１０】
本発明の更なる実施の形態では、モザイクビューを含む個別のテレビ信号は、高精細テレビ信号である。この実施の形態では、ディスプレイのモザイクビューの「低品質」が緩和される。  
先の目的及び利点、更なる目的及び利点、並びに以下に現れることを考慮に入れて、本発明は添付図面を参照して記載される。
【発明を実施するための最良の形態】
【００１１】
図１に示されるように、本発明のデジタルテレビジョンシステムは、アンテナ１０のようなデジタルテレビジョン信号を受信する入力を含んでいる。アンテナが示されているが、様々な他のソースがケーブル、サテライト等を含む場合があることを理解されたい。入力は、デジタルテレビジョン信号の１つの同調するための第一のチューナ１２に接続される。第一のデコーダ１４は、同調されたデジタルテレビジョン信号をデコードするための第一のチューナ１２の出力に結合される。第一のデコーダ１４は、たとえば、当該技術分野で知られているＭＰＥＧデコーダである場合がある。デコーダ１４の出力は、ビデオスイッチ１６を介して、ビデオスイッチ１６により供給されるビデオ信号を処理するためにビデオ信号プロセッサ１８に印加される。この公知の処理は、ビデオ信号のカラーコンテンツの調整と同様に、コントラスト及び明るさ調整を含む場合がある。ディスプレイドライバ２０は、処理されたビデオ信号を受信し、駆動信号をディスプレイ２２に印加する。
【００１２】
第一のデコーダ１４は、選択されたデコードされたテレビジョン信号に含まれるオーディオ信号をオーディオ信号プロセッサ２４に更に供給する。処理の後、オーディオ信号は、オーディオアンプ２６で増幅され、ラウドスピーカ２８に供給される。
【００１３】
コントローラ３０は、第一のチューナ１２、第一のデコーダ１４、ビデオスイッチ１６、ビデオ信号プロセッサ１８、ディスプレイドライバ２０、オーディオ信号プロセッサ２４及びオーディオアンプ２６を制御するために提供される。コントローラは、赤外線（ＩＲ）レシーバ３２を介して、ユーザにより操作されるＩＲリモートコントロールユニット３４からのユーザコマンドを受信する。
【００１４】
本発明のデジタルテレビシステムは、デジタルテレビジョンシステムにより受信可能な全てのチャネルのモザイクビューを含む個別のデジタルチャネルに同調するために制御される第二のチューナ３６を更に有する。第二のデコーダ３８は、第二のチューナ３６からの出力からデジタルテレビジョン信号を受信し、デコードする。セレクタ４０は、第二のデコーダ３８からデコードされたモザイクビューを受信し、モザイクビューのうちの１つを選択する。選択されたモザイクビューは、ビデオスイッチ１６に印加される。第二のチューナ３６、第二のデコーダ３８及びセレクタ４０は、コントローラ３０からの動作信号を受信する。
【００１５】
動作において、ＩＲリモート制御ユニット３４からの制御信号の制御下で、コントローラ３０は、第一のチューナ１２に選択されたデジタルテレビジョン信号に同調させ、第一のデコーダ１４にこの選択されたデジタルテレビジョン信号をデコードさせ、ビデオスイッチ１６にデコードされたテレビジョン信号をディスプレイ２２での表示のためにビデオ信号プロセッサ１８に供給させる。さらに、コントローラ３０は、適切な音声信号がラウドスピーカ２８により生成されるために、第一のデコーダ１４からの対応するオーディオ信号を処理するように、オーディオ信号プロセッサ２４を制御する。同時に、コントローラ３０は、セレクタ３０に、第一のチューナ１２により選択されたデジタルテレビジョン信号に対応するモザイクビューを選択させる。
【００１６】
たとえばユーザがチャネルサーフィンするのを望むときといった、コントローラ３０がＩＲリモート制御ユニット３４からチャネル変化コマンドを受信するとき、コントローラ３０は、第一のチューナ１にチャネル変化コマンドに従って次のチャネルに同調させる。同時に、コントローラ３０は、セレクタ４０に対応するモザイクビューを選択させ、ビデオスイッチ１６にセレクタ４０の出力に切替えさせる。更なるチャネル変化コマンドがコントローラ３０により受信されない場合、コントローラ３０は、第一のデコーダ１４をモニタし、視聴可能な画像が利用可能であるとき、ビデオスイッチ１６に第一のデコーダ１４に切替えさせる。更なるチャネル変化コマンドが受信された場合、コントローラ３０は、これに応じて、セレクタ４０からの信号を受信するようにビデオスイッチ１６を保持しつつ、第一のチューナ１２及びセレクタ４０を制御する。
【００１７】
先に記載された実施の形態では、出願人は、新たなチャネルに同調したとき、ビデオ信号のレンダリングにおける遅延が存在する一方で、オーディオ信号が容易に利用可能であることに注目している（すなわち、オーディオについてＩフレームパケットが存在せず、全てのオーディオパケットが自己包含“self-contained”される）。したがって、オーディオ信号に切替える必要がない。しかし、図示されるように、ビデオ信号と共にオーディオ信号を切替えることが望まれる場合には、セレクタ４０からのオーディオ出力は、第一のデコーダ１４からのオーディオ出力と同様に、コントローラ３０により制御されるオーディオスイッチ４２に印加される。スイッチからの出力は、入力信号をオーディオ信号プロセッサ２４に供給する。かかるように、セレクタ４０からのビデオ信号がビデオ信号プロセッサ１８に切り替えされたときに、セレクタ４０からのオーディオ信号は、オーディオ信号プロセッサ２４に切替えられるように、コントローラ３０は、ビデオスイッチ１６と同期して、オーディオスイッチ４２を制御する。
【００１８】
本明細書で開示された構造の様々な代替及び変更は、それ自身を当業者に与えるであろう。しかし、先に記載された実施の形態は、例示のみを目的としており、本発明の制限するものとして解釈されるべきではない。本発明の精神から逸脱しない全ての係る変更は、特許請求の範囲に含まれることが意図される。
【図面の簡単な説明】
【００１９】
【図１】本発明のテレビジョンシステムのブロック図である。
【図１】
2007520142.tif 000003
【国際調査報告】
2007520142.tif 000004
2007520142.tif 000005